(57)【要約】      （修正有）【課題】桟瓦とは別個の役物瓦を不要とする面戸付棟部下地材を提供する。【解決手段】葺設状態の桟瓦の上方に位置させる基板１の前端部に面戸板２を、後端部に桟瓦の尻側端面への係合板３を垂設し、基板１の両側部に、桟瓦の上面における桟側部位及び差込み側部位に接地又は近接可能な側板４を垂設した面戸付棟部下地材を、係合板３を、桟瓦の尻側端面に引っ掛けて、桟瓦の上部に単に載置することで面戸部を形成可能にすることによって、桟瓦とは別個の材料は必要になるが、どの桟瓦であっても対応可能であり、専用の役物瓦を不要にすることができる。【選択図】図５
2018155093.tif 000002
【特許請求の範囲】
【請求項１】
葺設状態の桟瓦の上方に位置させる基板の前端部に面戸板を、後端部に桟瓦の尻側部位への係合板を垂設したことを特徴とする面戸付棟部下地材。
【請求項２】
前記係合板を桟瓦の尻側端面に掛止可能に形成し、前記基板の両側部に、前記桟瓦の上面における桟側部位及び差込み側部位に接地又は近接可能な側板を垂設したことを特徴とする請求項１記載の面戸付棟部下地材。
【請求項３】
前記基板の後方部位の幅を前方部位より狭くして、前記前方部位の両側部位を前記後方部位より突出状態とし、前記後方部位の両側端部より前記側板を垂設したことを特徴とする請求項２記載の面戸付棟部下地材。
【請求項４】
前記係合板の下面を前記面戸板と同一形状として、係合板の下端を桟瓦の尻側上面に係合可能としたことを特徴とする請求項１記載の面戸付棟部下地材。
【発明の詳細な説明】
【技術分野】
【０００１】
本発明は、瓦屋根の大棟における面戸を簡易に設置可能な面戸付棟部下地材に関する。
【背景技術】
【０００２】
従来、瓦屋根における大棟の在来湿式工法にあっては、葺土を使用して熨斗瓦を積み上げ、最上段に冠瓦を被せ、最下段の熨斗瓦と最上段の桟瓦との隙間を、陶磁器製又はプラスチック製の面戸で塞いで葺土を隠している。
【０００３】
この作業を簡易化するために、桟瓦部の働き長さ方向の後部に、面戸と、その面戸の上端より働き長さ方向に延在する熨斗瓦受台とを備える面戸部が一体に形成されている面戸付桟瓦を、最上段の桟瓦の代わりに葺設することにより、葺土は、熨斗瓦受台と熨斗瓦との間だけに必要で、熨斗瓦受台の下方には不要になるため、軽量化を図ることが出来、而も施工を容易化することで省力化及び省時間化を図り、大幅なコストダウンが期待出来る（例えば、特許文献１参照）。
【先行技術文献】
【特許文献】
【０００４】
【特許文献１】特開平１１−１３２１５号公報
【発明の概要】
【発明が解決しようとする課題】
【０００５】
しかし、上記従来技術にあっては、
(１)葺設状態において桟瓦部が外部露出してしまうため、色合いを統一すべく各社Ｊ型和    瓦専用のものが役物瓦として必要になる。
(２)釘用の孔が屋根下地から離れた熨斗瓦受台に形成されているため、一般的な桟瓦用の    ものより長い釘、ネジが必要で、長い分、下地側への打ち込み作業に手間がかかる。
など、解決せねばならない課題があった。
【課題を解決するための手段】
【０００６】
本発明は、上記従来技術に基づく、桟瓦とは別個の役物瓦及び長い釘、ネジが必要になる課題に鑑み、葺設状態の桟瓦の上方に位置させる基板の前端部に面戸板を、後端部に桟瓦の尻側部位への係合板を垂設した面戸付棟部下地材を、前記係合板を、前記桟瓦の尻側部位に係合させて、前記桟瓦の上部に単に載置することで、上記従来技術と同様の面戸部を形成可能にすることによって、前記桟瓦とは別個の材料は必要になるが、どの桟瓦であっても対応可能で専用の役物瓦を不要にして、上記(１)の課題を解決し、通常の長さの釘、ネジで前記桟瓦を固定する作業に、前記面戸付棟部下地材を単に載置するだけの簡単な作業を追加するだけで対応可能にして、上記(２)の課題を解決する。
【発明の効果】
【０００７】
要するに本発明は、葺設状態の桟瓦の上方に位置させる基板の前端部に面戸板を、後端部に桟瓦の尻側部位への係合板を垂設しているので、この面戸付棟部下地材の載置対象の桟瓦は他のものと同じで、通常の釘、ネジで固定することが出来、最上段の桟瓦の葺設作業の他に、この面戸付棟部下地材を桟瓦上に載置する簡単な作業が追加されるだけであることから、上記従来技術と同様の、葺土減による軽量化、省力化及び省時間化によるコストダウンの他に、専用の役物瓦を不要にすることが出来るため、１種類の桟瓦だけで対応することが出来る。
【０００８】
前記係合板を桟瓦の尻側端面に掛止可能に形成しているので、面戸付棟部下地材の桟瓦上への載置作業を簡略化することが出来、前記基板の両側部に、前記桟瓦の上面における桟側部位及び差込み側部位に接地又は近接可能な側板を垂設しているので、基板上に葺土を載置しても、側板が桟瓦に接地するため、基板の撓みを抑えることが出来る。
【０００９】
前記基板の後方部位の幅を前方部位より狭くして、前記前方部位の両側部位を前記後方部位より突出状態とし、前記後方部位の両側端部より前記側板を垂設しているので、この面戸付棟部下地材を、基板の４方部位に面戸板、係合板及び両側板が一体形成された１枚の金属板を折り曲げることで形成出来るため、大量生産化を図ることが出来る。
【００１０】
前記係合板の下面を前記面戸板と同一形状として、係合板の下端を桟瓦の尻側上面に係合可能としているので、桟瓦上に端に載置するだけで、面戸板及び係合板の下面が桟瓦の上面に接地状態とすることが出来るため、安定した状態で設置することが出来る等その実用的効果甚だ大である。
【図面の簡単な説明】
【００１１】
【図１】本発明に係る面戸付棟部下地材の実施例１の正面斜視図である。
【図２】図１の面戸付棟部下地材の背面斜視図である。
【図３】図１の面戸付棟部下地材を桟瓦上に設置した状態を示す断面斜視図である。
【図４】図１の面戸付棟部下地材を設置した状態を示す一部断面斜視図である。
【図５】図１の面戸付棟部下地材上に熨斗瓦を湿式工法で設置した状態を示す斜視図である。
【図６】図１の面戸付棟部下地材上に熨斗瓦を乾式工法で設置した状態を示す斜視図である。
【図７（ａ）】本発明に係る面戸付棟部下地材の実施例２の正面斜視図である。
【図７（ｂ）】本発明に係る面戸付棟部下地材の実施例２の下面斜視図である。
【図８】実施例２の面戸付棟部下地材を桟瓦上に設置した状態を示す断面斜視図である。
【図９】実施例２の面戸付棟部下地材上に熨斗瓦を湿式工法で設置した状態を示す斜視図である。
【発明を実施するための形態】
【００１２】
本発明に係る面戸付棟部下地材にあっては、基本的に、葺設状態の桟瓦Ｃ、Ｃａ…の上方に位置させる基板１と、該基板１の前端部に垂設した面戸板２と、基板１の後端部に垂設した桟瓦Ｃ、Ｃａ…の尻側部位への係合板３とを有している。
【実施例１】
【００１３】
図１、２に示す様に、面戸付棟部下地材の実施例１は、１枚のガルバリウム鋼板（登録商標）を折り曲げて形成され、１枚の基板１、１枚の面戸板２、２枚の係合板３、３と、基板１の両側部に垂設した、桟瓦Ｃ、Ｃａ…の上面における桟側部位及び差込み側部位に接地又は近接可能な側板４、4aを有している。
【００１４】
基板１は、後方部位1bの幅を前方部位1aより狭くして、該前方部位1aの両側部位を後方部位1bより突出状態として、隣接する桟瓦Ｃ、Ｃａと桟瓦Ｃａ、Ｃｂ…の桟山部間をまたぐ様に配置されている。
【００１５】
係合板３、３は、基板１の後端部からの垂下板５の下端部より、下端部が桟瓦Ｃ、Ｃａ…の尻側端面に接面可能に垂設されている。
【００１６】
側板４、4aは、後方部位1bの両側端部され、これら側板４、4aの下端部を後方且つ上方へ傾斜させて、設置状態において側板４、4aの下端部が桟瓦Ｃａ、Ｃｂ…の尻側水返しＤに当たっても傾かない様にしている。
【００１７】
そして、図３〜５に示す様に、桟瓦Ｃ、Ｃａ…の尻側端面に係合板３、３を引っ掛けて、桟瓦Ｃ、Ｃａ…の上に載置し、基板１の上に熨斗瓦Ｅの微調整用の葺土Ｗを盛って、この上に最下段の熨斗瓦Ｅを載置し下方に押え付ける様にして葺設する。
【００１８】
又、側板４、4aの下端部は、載置時又は熨斗瓦Ｅの葺設時に桟瓦Ｃ、Ｃａ…の上面に接地して、葺土Ｗ及び熨斗瓦Ｅを下方支持して、基板１の撓みを最低限に抑えている。
【００１９】
尚、上記実施例１にあっては、葺土を使用しない乾式工法で棟を構築する際にも使用可能で、例えば図６に示す様に、桟瓦Ｃ、Ｃａ…の尻側端面に係合板３、３を引っ掛けて、桟瓦Ｃ、Ｃａ…の上に載置し、両側の面戸付棟部下地材を覆う様に防水シートＳを敷設し、該防水シートＳ上に載置した桟木Ｔ及び防水シートＳを貫通させた釘、ネジ等の固定具Ｎを面戸付棟部下地材に打ち込んで防水シートＳを固定し、棟部の下地に所定間隔毎に固定された複数個の棟金具Ａ、Ａａ…上に載架された棟木Ｂと桟瓦Ｃ、Ｃａ…に接地する様に熨斗瓦Ｅを葺設して釘、ネジなどの固定具Ｍを面戸付棟部下地材に打ち込んで固定し、両側の熨斗瓦Ｅ、Ｅの固定具Ｍ、Ｍ間に緊結線Ｌを張設し、その後葺土を使用する在来の湿式工法や、葺土を使用しない乾式工法で棟部を構築可能にしている。
【実施例２】
【００２０】
図７（ａ）及び図７（ｂ）に示す様に、面戸付棟部下地材の実施例２は、セメント製で、１枚の基板１、１枚の面戸板２、１枚の係合板３を有しており、該係合板３の下面を面戸板２と同一形状として、係合板３の下端面を桟瓦Ｃ、Ｃａ…の尻側上面に合致させることで、係合板３の下端を桟瓦Ｃ、Ｃａ…の尻側上面に係合可能とすることで、桟瓦Ｃ、Ｃａ…上に載置可能としている。
【００２１】
又、基板１の一端側を面戸板２及び係合板３より突出させると共に、当該突出部位６の下面を桟瓦Ｃ、Ｃａ…の上面に合致する曲面として、面戸板２及び係合板３の下面より連続的に形成している。
【００２２】
そして、図８、９に示す様に、桟瓦Ｃ、Ｃａ…の尻側上面に係合板３の下面を接地させて、桟瓦Ｃ、Ｃａ…の上に載置し、反対側の面戸付棟部下地材とを針金Ｆで連結し、基板１の上に熨斗瓦Ｅの微調整用の葺土Ｗを盛って、この上に最下段の熨斗瓦Ｅを載置し下方に押え付ける様にして葺設する。
【符号の説明】
【００２３】
１          基板
1a          前方部位
1b          後方部位
２          面戸板
３          係合板
４、4a      側板
Ｃ、Ｃａ…  桟瓦
【図１】
2018155093.tif 000003
【図２】
2018155093.tif 000004
【図３】
2018155093.tif 000005
【図４】
2018155093.tif 000006
【図５】
2018155093.tif 000007
【図６】
2018155093.tif 000008
【図７（ａ）】
2018155093.tif 000009
【図７（ｂ）】
2018155093.tif 000010
【図８】
2018155093.tif 000011
【図９】
2018155093.tif 000012